(57)【要約】【課題】食品サンプルの全容が見定めやすいようにした食品サンプル展示具を得る。【解決手段】台部材１と、この台部材１の上側に固定されるベース部材２と、ベース部材２の上面に配されるカバー部材３とからなる。台部材１には、これの上面側が前下りの傾斜姿勢になるよう傾斜角度を変更するための角度調節手段を備えている。カバー部材３は、半球形状の透明ドーム部３ａと、この透明ドーム部３ａの下端周縁に張り出し形成された外周鍔部４ｂとを有する。ベース部材２の上面には、カバー部材３が鍔部３ｂを介して固定される。カバー部材３の透明ドーム部３ａ内において、ベース部材２上に食品サンプルＡが位置決めセットされるようにする。【選択図】　　　　図１
2004073690.tif 000002
【特許請求の範囲】
【請求項１】
台部材１と、この台部材１の上側に配されるカバー部材３とからなり、
台部材１には、これの上面側が前下りの傾斜姿勢になるよう傾斜角度を変更するための角度調節手段を備えており、
カバー部材３は、半球形状の透明ドーム部３ａと、この透明ドーム部３ａの下端周縁に張り出し形成された外周鍔部３ｂとを有しており、
台部材１の上面にカバー部材３が外周鍔部３ｂを介して固定されており、
カバー部材３の透明ドーム部３ａ内において、台部材１上に食品サンプルＡが置かれるようにしたことを特徴とする食品サンプル展示具。
【請求項２】
台部材１は、四角形の上面壁５の外周に周側壁６を有する四角枠状に形成されており、
台部材１の上面壁５の上側にベース部材２が該上面壁５を覆う状態で固定されており、
ベース部材２の上面にカバー部材３が固定されている請求項１記載の食品サンプル展示具。
【請求項３】
台部材１の前後には、角度調節手段として支持脚１５・１６を備えており、
台部材１に対して前後の各支持脚１５・１６は、個別に上下高さが調節可能である請求項２記載の食品サンプル展示具。
【請求項４】
前後で一対の各支持脚１５・１６が、水平状のバー部１５ａ・１６ａと、このバー部１５ａ・１６ａの両端から立ち上がる支持部１５ｂ・１５ｂ・１６ｂ・１６ｂとからなり、
台部材１の四隅に設けた脚受け１７に、各支持脚１５・１６の支持部１５ｂ・１５ｂ・１６ｂ・１６ｂが上下動自在に支持されており、
脚受け１７に、各支持脚１５・１６の支持部１５ｂ・１５ｂ・１６ｂ・１６ｂを任意の上下位置で固定する止め手段２０が設けられている請求項３記載の食品サンプル展示具。
【請求項５】
後方の支持脚１６のバー部１６ａが、前方に向けて屈曲されており、
ショーケース２５の棚前枠２６の外側前面２７に、下側となる前方の支持脚１５のバー部１５ａを当てた状態で、棚前枠２６の上端内側面２８に、上側となる後方の支持脚１６のバー部１６ａが掛け止められるようにした請求項４記載の食品サンプル展示具。
【請求項６】
ベース部材２とカバー部材３の外周鍔部３ｂとが、平面視において前円後方の古墳状に形成されており、
ベース部材２またはカバー部材３の後側縁に、名札１１が取り付けられるようになっている請求項５記載の食品サンプル展示具。
【発明の詳細な説明】
【０００１】
【発明の属する技術分野】
本発明は、飲食店の店頭などにおいて食品サンプルを展示する食品サンプル展示具に関する。
【０００２】
【従来の技術】
従来例のひとつに、台部材の上面に陳列対象（ドライフラワー）を位置決めセットし、台部材の上面において陳列対象をドーム状の透明カバー部材で覆うようにしたものがある（特許文献１参照）。
【０００３】
食品サンプル展示具に関する別の従来例として、下側の台部材の傾斜上面に食品サンプルを位置決めセットしたのち、下側の台部材の上方に上側の台部材を積み重ねて上側の台部材で食品サンプルをカバーし、透明とした上側の台部材を通して内部の食品サンプルが斜め前方側から透視できるようにしたものがある（特許文献２参照）。
【０００４】
（特許文献１）
実開昭５６−１００３７５号公報（第２頁、第３図）
（特許文献２）
実開昭６２−６３０６０号公報（第３−４頁、第３図）
【０００５】
【発明が解決しようとする課題】
特許文献１によれば、透明のカバー部材がドーム状に形成されているので、内部の陳列対象を全方位方向から見ることができる。但し、陳列対象が水平面上にセットされているので、斜め前方からは陳列対象の全容を一望できない。陳列対象の後ろ側が陰になって認め難い。
【０００６】
特許文献２によれば、前方下りの傾斜上面に食品サンプルが置かれているので、食品サンプルの全体を斜め前方から容易に認めることができる。しかし、展示台の傾斜上面の傾斜角度は常に一定である。そのため、該当の傾斜角度が小さくて展示台が高いときには、食品サンプルの全体とくに後方部分が見づらく、逆に前記傾斜角度が大きくて展示台が低いときに食品サンプルの前方部分が見づらい事態を招く。
【０００７】
本発明の目的は、前方を含めていずれの方向からでも食品サンプルの全容が陳列高さに多少の違いがあっても明確に見える食品サンプル展示具を得ることにある。
【０００８】
【課題を解決するための手段】
本発明に係る食品サンプル展示具は、図１および図２に示すごとく、台部材１と、この台部材１の上側に配されるカバー部材３とからなる。台部材１には、これの上面側が前下りの傾斜姿勢になるよう傾斜角度を変更するための角度調節手段を備えている。カバー部材３は、半球形状の透明ドーム部３ａと、この透明ドーム部３ａの下端周縁に張り出し形成された外周鍔部３ｂとを有する。台部材１の上面にはカバー部材３が外周鍔部３ｂを介して固定され、カバー部材３の透明ドーム部３ａ内において、台部材１上に食品サンプルＡが置かれるようにしたことを特徴とする。
【０００９】
台部材１は、四角形の上面壁５の外周に周側壁６を有する四角枠状に形成されており、台部材１の上面壁５の上側にベース部材２が該上面壁５を覆う状態で固定されており、ベース部材２の上面にカバー部材３が前述の要領で固定されている。
【００１０】
台部材１の前後には、角度調節手段として支持脚１５・１６を備えており、台部材１に対して前後の各支持脚１５・１６は、個別に上下高さが調節可能である。この場合、前後の支持脚１５１・１６は、前方左右と後方左右とに合計４本備えた形態も含まれる。
【００１１】
前後で一対の各支持脚１５・１６は、図２に示すごとく水平状のバー部１５ａ・１６ａと、このバー部１５ａ・１６ａの両端から立ち上がる支持部１５ｂ・１５ｂ・１６ｂ・１６ｂとからなり、台部材１の四隅に設けた脚受け１７に、各支持脚１５・１６の支持部１５ｂ・１５ｂ・１６ｂ・１６ｂが上下動自在に支持されており、脚受け１７に、各支持脚１５・１６の支持部１５ｂ・１５ｂ・１６ｂ・１６ｂを任意の上下位置で固定する止め手段２０が設けられた形態にすることができる。
【００１２】
更に、後方の支持脚１６のバー部１６ａは、前方に向けて屈曲されたものにすることができる。この場合には、図４に示すごとくショーケース２０の棚前枠２６の外側前面２７に、下側となる前方の支持脚１５のバー部１５ａを当てた状態で、棚前枠２６の上端内側面２８に、上側となる後方の支持脚１６のバー部１６ａを掛け止める形態を採ることができる。
【００１３】
ベース部材２とカバー部材３の外周鍔部３ｂとは、平面視において前円後方の古墳状に形成し、ベース部材２またはカバー部材３の後側縁に、名札１１を取り付けるようにすることができる。
【００１４】
【発明の作用効果】
本発明の食品サンプル展示具では、カバー部材３の透明ドーム部３ａが半球形状に形成されているので、内部の食品サンプルＡの全容が上面側を含めて全方位方向から一望できる。
【００１５】
そのうえで台部材１に角度調節手段を備えているので、設置高さに応じて台部材１上の食品サンプルＡをこれの全容が特に前方側から見えやすい前下り傾斜姿勢になるよう傾斜角度を任意に調節できることになり、食品サンプルＡの展示効果を設置場所に応じて有効に図れる。
【００１６】
四角枠状に形成された台部材１の上面壁５に、これを覆う状態でベース部材２が固定されていると、ベース部材２で台部材１をこれが上面側から見えないように目隠しできる。従って、台部材１は強度を担持する金属製にし、ベース部材２はカラフルなプラスチック製にするなどして、意匠効果を確保しながら強度面でも優れた食品サンプル展示具が安価に量産できることになる。
【００１７】
四角枠状の台部材１の前後に支持脚１５・１６を上下高さが調節可能に備えていると、まず図１に示すごとく水平設置面１９に対する支持脚１５・１６の高さを調節することにより、食品サンプルＡを最適の展示位置にセットできる。そのうえで、前方の支持脚１５よりも後方の支持脚１６を高くすることにより、ベース部材２上の食品サンプルＡの載置面を前下りの傾斜面にそれも前方から食品サンプルＡの全容が見えやすい任意の傾斜角度に容易に変更調節できる。
【００１８】
前後で一対の各支持脚１５・１６が、水平状のバー部材１５ａ・１５ａ・１６ａ・１６ａと、これの左右端から立ち上がる支持部１５ｂ・１５ｂ・１６ｂ・１６ｂとからなり、台部材１の四隅に設けた脚受け１７に、各支持脚１５・１６の支持部１５ｂ・１５ｂ・１６ｂ・１６ｂが上下動自在に支持された形態になっていると、台部材１に対して各支持脚１５・１６を個別に上下動操作するだけで、台部材１の上下高さおよび傾斜角度を簡単に調整し、止め手段２０でその姿勢に保持でき、取り扱いが容易である。
【００１９】
食品店のショーケース（多くの場合、冷蔵ショーケース）２５では、図４に示すごとく床面上の低い位置に棚前枠２６が前方手前側に位置している。本発明の食品サンプル展示具において、先の後方支持脚１６のバー部１６ａが前方に向けて屈曲されていると、台部材１の前側を下向きにして棚前枠２６の外側前面２７に前方支持脚１５のバー部１５ａを当てた状態で、後方支持脚１６のバー部１６ａを棚前枠２６の上端内側面２８に掛け止めることができる。つまり、ショーケース２５の棚前枠２６にも本発明の食品サンプル展示具は簡単にチョン掛け使用できて有用である。
【００２０】
本発明の食品サンプル展示具は、図１の水平設置面１９にセットするにせよ、図４のショーケース２５の棚前枠２６に掛け止めるにせよ、ベース部材２とカバー部材３の外周鍔部３ｂとが、前方側を円形に後側縁を直線状にした前円後方墳の観を呈していると、透明ドーム部３ａが半球状つまり平面視で円形になっていることと相まって、前後の位置関係が明確でデザイン上優れたものとなる。そのうえで後端側に、食品サンプルＡが示す食品の各種情報を伝える名札１１が取り付けられるようにしてあると、機能上も有利である。
【００２１】
【発明の実施の形態】
図面は本発明に係る食品サンプル展示具を示しており、台部材１と、この台部材１の上面に固定されるベース部材２と、このベース部材２の上面に配されるカバー部材３とからなる。
【００２２】
図２において台部材１は、金属板製であって、前後方向に長い四角形の上面壁５の外周縁に周側壁６の上端が溶接されて、下向きに開口する四角枠状に形成されている。
【００２３】
台部材１の上面壁１５の外側上面には、上面壁５よりも一回り大きいプラスチック製のベース部材２が、台部材１の全体を上方から見たとき覆い隠すように接着剤で固定されている。平板状のベース部材２は、平行な左右側縁の前端どうしをつなぐ前縁側が円弧状で、左右側縁の後端どうしをつなぐ後縁が直線状を呈しており、平面視で前円後方（前側が円形で後ろ側が方形）の古墳状に形成されている。
【００２４】
このベース部材２の上面中央に、食品サンプルＡが載置される。この食品サンプＡは、円形の皿に疑似食品が立体形状に盛られた公知のプラスチック成形品である。
【００２５】
ベース部材２に食品サンプルＡを載置した状態でベース部材２の上面に透明プラスチック製のカバー部材３が置かれる。カバー部材３は、半球形状の透明ドーム部３ａを有し、これの下端の円形外周縁に水平の外周鍔部３ｂが一体に張り出し形成されている。外周鍔部３ｂの外周縁形状はベース部材２の外周縁形状に大きさにおいても一致しており、従って平面視で前円後方の古墳形状を呈している。
【００２６】
カバー部材３は、これのドーム部３ａが食品サンプルＡの外周囲を囲むようにベース部材２の上面に被せ付け、カバー部材３の外周鍔部３ｂをベース部材２の上面に接着剤で固定する。これにて、ベース部材２上の食品サンプルＡは、カバー部材３のドーム部３ａ内に封じ込められた状態で位置決め保持される。
【００２７】
図示例では、カバー部材３とは別の化粧枠７を備えている。化粧枠７は中央に円形の抜き孔９を有し、その外周縁形状は、先のベース部材２およびカバー部材３の外周鍔部３ｂの外周縁形状に大きさにおいても一致する前円後方の古墳形状に形成されている。
【００２８】
化粧枠７は、抜き孔９をカバー部材３のドーム部３ａに上方から嵌合したのち、化粧枠７の外周部分７ａをカバー部材３の外周鍔部３ｂの上面に接着剤で固定する。
【００２９】
このとき、外周鍔部３ｂの後側縁には、左右方向の中央部位に予め切り欠き１０を設けてあり、この切り欠き１０の介在でベース部材２と化粧枠７との間には後側縁に隙間が生じる。この隙間を利用して紙製の名札１１が脱着自在に取り付けられる。
【００３０】
名札１１は、図２に示すごとく食品サンプルＡで示す食品名やその販価などが印刷された名札本体１２と、これの前端縁に折り曲げ自在に連設された差し込み片１３とからなり、ベース部材２と化粧枠７との間に前記切り欠き（隙間）１０を介して差し込み片１３を差し込むことにより、装着することができる。
【００３１】
本発明に係る食品サンプル展示具は、代表例として図１に示すごとく設置台の水平設置面１９上に置かれる。その際、本発明は食品サンプルＡこれ自体の高さを調節できるようにするとともに、上面側の全体を前下りの傾斜姿勢にして食品サンプルＡの全容が前方から見やすいようにすることにある。そこで、台部材１には、これの上面の前下りの傾斜角度を変更するための角度調節手段を有する。
【００３２】
その角度調節手段として、台部材１の前後に、一対の支持脚１５・１６を備えており、台部材１に対して前後の各支持脚１５・１６は、個別に上下高さが調節可能である。
【００３３】
すなわち、前後の各支持脚１５・１６は、図２に示すごとく金属棒（針金）を折り曲げた水平状のバー部１５ａ・１６ａと、このバー部１５ａ・１６ａの両端から立ち上がる支持部１５ｂ・１５ｂ・１６ｂ・１６ｂとからなる。このうち、後方の支持脚１６のバー部１６ａは、前方に向けて屈曲されている。
【００３４】
台部材１の四隅には、金属パイプからなる脚受け１７をそれぞれ溶接してあり、この脚受け１７に、各支持脚１５・１６の支持部１５ｂ・１５ｂ・１６ｂ・１６ｂが上下スライド自在に嵌入する。各脚受け１７には、各支持脚１５・１６の支持部１５ｂ・１５ｂ・１６ｂ・１６ｂを任意のスライド位置で固定する止め手段２０が設けられている。
【００３５】
その止め手段２０は、図２に示すごとく各脚受け１７の台部材１から突出した部分に、ねじ孔を有するナット部材２１を固着し、このナット部材２１に操作ねじ２２をねじ込み操作すると、操作ねじ２２のねじ部先端が各脚受け１７内に嵌入した支持脚１５・１６の支持部に係合するようになっている。
【００３６】
（第１使用例）　本発明の食品サンプル展示具は、図１に示すごとく飲食店の店頭において設置台の水平設置面１９上に置かれる。その際、水平設置面１９の床面からの高さによって、まず水平設置面１９上での台部材１の高さを支持脚１５・１６によって調節することができる。このときベース部材２は、水平姿勢に置かれることも多々ある。
【００３７】
例えば、水平設置面１９の位置が高く、顧客から食品サンプルＡが遠く離れているような場合には、前方の支持脚１５を低く、後方の支持脚１６を高くそれぞれ調節して、ベース部材２が前下りの傾斜姿勢になるようにセットする。これにて前方に離れた位置からでも食品サンプル６の全体が良く見えるようになる。そのときのベース部材２の傾斜角度は、設置場所において任意に変更することになる。
【００３８】
（第２使用例）　一方、食材販売店の店内には、図４に示すごとく冷蔵オープンショーケース２５が設置されており、ショーケース２５の棚前枠２６は床面に近い低位置にある。本発明の食品サンプル展示具は、かかる棚前枠２６に吊り掛けた状態で使用することができる。
【００３９】
すなわち、台部材１の前側を下向きにし、ショーケース２５の棚前枠２６の外側前面２７に前方の支持脚１５のバー部１５ａを当てた状態で、棚前枠２６の上端内側面２８に後方の支持脚１６のバー部１６ａが掛け止められる。この場合にも、食品サンプルＡの全体を見えやすくするために、前後の支持脚１５・１６の高さ調節を行なうことになる。
【００４０】
本発明の食品サンプル展示具は、そのほか飲食店の店内の壁面などにも後方の支持脚１６を利用して吊り掛け使用できる。食品サンプル展示具に対して名札１１が着脱自在に差し込み装着されるようになっていると、例えば展示食品の提供価格が変る場合などに名札１１のみ差し替え可能であり、食品サンプル展示具の収納時に名札１１は抜き外しておくことで邪魔にならない。
【００４１】
本発明の実施例に係る食品サンプル展示具は、一定期間経過後に全体を使い捨てにすることを予測しているが、食品サンプルＡのみ代えて継続使用する場合には、ベース部材２やカバー部材３をビス止めしたり、クリップ止めにするなどして、食品サンプルＡのみを交換自在にすることもできる。
【００４２】
後方の支持脚１６のバー部１６ａは、例えばこれの左右中央部が前方に向けて屈曲されていてもよい。
【図面の簡単な説明】
【図１】食品サンプル展示具の第１使用例を示す側面図
【図２】食品サンプル展示具の分解斜視図
【図３】要部の拡大断面図
【図４】食品サンプル展示具の第２使用例を示す側面図
【符号の説明】
Ａ　食品サンプル
１　台部材
２　ベース部材
３　カバー部材
３ａ　透明ドーム部
３ｂ　外周鍔部
１１　名札
１５　前方の支持脚
１６　後方の支持脚
【図１】
2004073690.tif 000003
【図２】
2004073690.tif 000004
【図３】
2004073690.tif 000005
【図４】
2004073690.tif 000006